(57)【要約】【課題】洗面台や流し台（２）などの、キャビネット部（７）を有する排水機器の配管構造であって、簡単に清掃作業を行え、且つキャビネット部（７）内の収納スペースを広げることのできる排水機器の配管構造を提供すること。【解決手段】排水トラップ（１８）を略Ｓ字形状から、トラップ部（１）内の３流路を持つ外見上直管構造とし、着脱可能とすることで簡単に清掃作業を行え、且つキャビネット部（７）内の収納スペースを広げることができる。【選択図】  図１
2006037403.tif 000002
【特許請求の範囲】
【請求項１】
キャビネット部（７）を有する排水機器の配管構造であって、
排水口（４）に、排水管（６）の内面に水密に嵌合し且つ着脱可能な、下水などからの異臭や害虫などの逆流を防止するトラップ機構を備えたトラップ部（１）を有することを特徴とする排水機器の配管構造。
【請求項２】
上記請求項１に記載の排水機器の配管構造において、上記配管構造を、
キャビネット部（７）を有すると共に、該キャビネット部（７）に引き出し部（７ａ）を備え、
上記配管構造が引き出し部（７ａ）の後背位置に配管されることを特徴とする排水機器の配管構造。
【請求項３】
上記請求項１または請求項２に記載のトラップ部（１）を、
槽内からの排水が流入する開口を備えた第一の流路（１２）と、
第一の流路の下端（１３）側と連通し、その内部を排水が上昇する第二の流路（１４）と、
第二の流路の上端（１５）側と連通し、その内部を排水が降下して下水方向へ排水される第三の流路（１６）と、
から構成したことを特徴とする排水機器の配管構造。
【請求項４】
請求項３に記載のトラップ部（１）を、
第一から第三の各流路を分割する壁面が軸方向視Ｙ字型に略均等に３分割するように配置したことを特徴とする排水機器の配管構造。
【請求項５】
上記請求項１または請求項２に記載のトラップ部（１）が、
ワン型トラップの構造を有することを特徴とする排水機器の配管構造。
【請求項６】
上記請求項１乃至請求項５のいずれか一つに記載の排水機器の配管構造において、
トラップ部（１）に位置決めを行う係合部（２１）を設けると共に、
該係合部（２１）に係合する被係合部（２２）を排水配管に備えたことを特徴とする排水機器の配管構造。
【請求項７】
上記請求項１乃至請求項６のいずれか一つに記載の排水機器の配管構造において、
排水配管を、槽体の排水口（４）から真下方向に配管させ、床下配管に接続されることを特徴とする排水機器の配管構造。
【請求項８】
上記請求項１乃至請求項６のいずれか一つに記載の排水機器の配管構造において、
排水配管を、槽体の排水口（４）から下方奥向きに傾斜させた後、キャビネットの背面壁部（１０）に沿って真下方向に屈曲させて床下配管に接続されることを特徴とする排水機器の配管構造。
【発明の詳細な説明】
【技術分野】
【０００１】
本発明は、洗面台や流し台などの、キャビネット部を備えた排水機器に用いられる配管構造と、それらに用いられる排水トラップに関するものである。
【背景技術】
【０００２】
従来より、洗面台や流し台の排水配管においては、排水トラップと呼ばれる排水の溜まり部分を設け、この排水の溜まり部分によって下水側から臭気や害虫類が逆流しないように配管が行われてきた。この排水トラップの様態は様々であるが、最も簡単なものとしては、管体を略Ｓ字形状に形成したものであって、その屈曲部分に封水部と呼ばれる、排水が溜まるように構成した管トラップと呼ばれる様態の排水トラップがある。この封水部に溜まった排水によって、下水からの異臭や害虫類が屋内側に逆流することを防止している。この様な排水トラップを施工する場合、床面を介して、下水側につながる床下配管部分に接続されてなる立ち上がり管、流し台のシンクの底面に設けた排出口に接続される排水栓、該排水栓と排水トラップ、また該排水トラップと立ち上がり管とを接続する直線上のパイプ管や曲がり部分を設けたエルボ管、固定用のナット部材などからなる管体部材などの各部材が配管に用いられる（例えば、特許文献１および特許文献２参照）。
【特許文献１】特開２００３−３２８４１８号公報（第９頁、図１３）
【特許文献２】特開２００３−３２８４１８号公報（第８頁、図１２）
【０００３】
上記のような各部材を用いた排水機器、例えば流し台を施工する場合、まず、床面に設けられた立ち上がり管の上方に、排水口に排水栓が取着された流し台を載置する。その後、流し台のキャビネット部内にて、排水栓と排水トラップをパイプ管やエルボ管などの管体部分を介して接続し、さらに排水トラップの排出口を、パイプ管を介して立ち上がり管に接続して排水機器の配管施工が完了する。
【発明の開示】
【発明が解決しようとする課題】
【０００４】
ところで、上記のような従来例においては、排水配管の内部を清掃する際、分解清掃法と呼ばれる、配管を解体して個別に清掃する方法が採用されている。この方法を行うためには、各部材を取り外すため、キャビネット部に収納されている未使用のタオルや石鹸／洗剤、また油や調味料などをキャビネット部外に出し、人がキャビネット部内に潜り込み、排水トラップや排水管など、各パーツを取り外して洗浄しなければならず、清掃に関して相当な手間がかかっていた。特に最近では、キャビネット部に引き出し部を設けた排水機器が利用されるようになっているものがあるが、このような場合、分解清掃法を行うためには上記のようにキャビネット部内の収納物を取り出した後、更に引き出し部自体をキャビネット部から取り外さなければならない等、清掃の手間が著しく増大していた。また排水トラップにおいて略Ｓ字形状になっているため、洗浄ブラシが入りきれず、完全に洗浄を行うことができなかった。また、高圧洗浄法と呼ばれる、耐圧で且つ可撓性を有する高圧洗浄管を排水口から排水配管内に押し込み、高圧洗浄管より水を高圧で放出させ、清掃させる方法がある。この方法を行う場合、キャビネット部の収納品を取り出して清掃する必要はないが、排水トラップにおいて管が略Ｓ字形状になっているため、洗浄ブラシがＳ字の先端までしか入りきれず、封水部から下水配管に至る配管内を完全に洗浄を行うことができなかった。また、キャビネット部内において、上記のような配管部材が占める空間が大きいと収納効率が落ち、洗面台や流し台などの利用者にとって使い勝手が悪いものとなる。さらに、配管を引き出し部に干渉しないように構成しなければならないため、大きな体積を取る排水トラップを含む配管用の空間をキャビネット部内に開けておかなければならず、その分、引き出し部の収納能力が損なわれていた。このため、なるべくキャビネット部内において、排水トラップなど配管に用いられる各部材が占める空間の割合を減少させることが、洗面台や流し台などキャビネット部を備えた排水機器の配管施工に求められる課題となっていた。本発明は上記課題に鑑み発明されたものであって、キャビネット部を備えた排水機器に用いられる配管構造およびその配管構造に用いられる排水トラップについて、キャビネット部内の収納物や引き出し部を取り外すことなく簡単に配管を清掃できること、およびキャビネット部内における空間占有率を減少させることを目的として発明されたものである。
【課題を解決するための手段】
【０００５】
請求項１に記載の排水機器の配管構造は、
キャビネット部（７）を有する排水機器の配管構造であって、
排水口（４）に、排水管（６）の内面に水密に嵌合し且つ着脱可能な、下水などからの異臭や害虫などの逆流を防止するトラップ機構を備えたトラップ部（１）を有することを特徴とする排水機器の配管構造である。
【０００６】
請求項２に記載の排水機器の配管構造は、
前記段落０００５に記載の排水機器の配管構造において、上記配管構造を、
キャビネット部（７）を有すると共に、該キャビネット部（７）に引き出し部（７ａ）を備え、
上記配管構造が引き出し部（７ａ）の後背位置に配管されることを特徴とする排水機器の配管構造である。
【０００７】
請求項３に記載の排水機器の配管構造は、
前記段落０００５または前記段落０００６に記載のトラップ部（１）を、
槽内からの排水が流入する開口を備えた第一の流路（１２）と、
第一の流路の下端（１３）側と連通し、その内部を排水が上昇する第二の流路（１４）と、
第二の流路の上端（１５）側と連通し、その内部を排水が降下して下水方向へ排水される第三の流路（１６）と、
から構成したことを特徴とする排水機器の配管構造である。
【０００８】
請求項４に記載の排水機器の配管構造は、
前記段落０００７に記載のトラップ部（１）を、
第一から第三の各流路を分割する壁面が軸方向視Ｙ字型に略均等に３分割するように配置したことを特徴とする排水機器の配管構造である。
【０００９】
請求項５に記載の排水機器の配管構造は、
前記段落０００５または前記段落０００６に記載のトラップ部（１）が、
ワン型トラップの構造を有することを特徴とする排水機器の配管構造である。
【００１０】
請求項６に記載の排水機器の配管構造は、
前記段落０００５乃至前記段落０００９のいずれか一つに記載の排水機器の配管構造において、
トラップ部（１）に位置決めを行う係合部（２１）を設けると共に、
該係合部（２１）に係合する被係合部（２２）を排水配管に備えたことを特徴とする排水機器の配管構造である。
【００１１】
請求項７に記載の排水機器の配管構造は、
前記段落０００５乃至前記段落００１０のいずれか一つに記載の排水機器の配管構造において、
排水配管を、槽体の排水口（４）から真下方向に配管させ、床下配管に接続されることを特徴とする排水機器の配管構造である。
【００１２】
請求項８に記載の排水機器の配管構造は、
前記段落０００５乃至前記段落００１０のいずれか一つに記載の排水機器の配管構造において、
排水配管を、槽体の排水口（４）から下方奥向きに傾斜させた後、キャビネットの背面壁部（１０）に沿って真下方向に屈曲させて床下配管に接続されることを特徴とする排水機器の配管構造である。
【発明の効果】
【００１３】
本発明の排水機器の配管構造によれば、以下の効果を奏する。
請求項１に対する効果として、トラップ部（１）を排水管（６）から外すことで従来例の排水トラップ（１８）を越えて、下水につながる配管部まで高圧洗浄を行うことができる。また今まで略Ｓ字形状だった排水トラップ（１８）が直管形状にでき、意匠性に優れる。
請求項２に対する効果として、従来例の、排水トラップ（１８）が略Ｓ字形状だったものが直管形状となるため、キャビネット部（７）の収納スペースを広く確保できるとともに、引き出し部（７ａ）の後背をより奧に設定できる。また洗浄を行う場合も、引き出し部（７ａ）を取り出す必要がない。
請求項３・４・５は、この発明におけるトラップ部（１）の形状を具体的に示したものである。
請求項６に対する効果として、トラップ部（１）の取付位置および方向性を固定させることで、トラップ部（１）として必要な封水深を確保できる。
請求項７・８に対する効果として、排水配管を、槽体の排水口（４）から真下方向に配管させ、床下配管に接続させた場合は、今まで略Ｓ字形状だった排水トラップ（１８）が直管形状となり、意匠性に優れるとともに、リフォームなど、すでに配置されている洗面台において高圧洗浄できるようにするなど、床下配管の位置が決められている場合に、配管部材を交換することで、高圧洗浄法にて洗浄することに優れた構造とすることができる。また槽体の排水口（４）から下方奥向きに傾斜させ、キャビネットの背面壁部（１０）に沿って真下に配管させた場合は、今まで略Ｓ字形状だった排水トラップ（１８）が直管形状となり、意匠性に優れるとともに、キャビネット部（７）内の収納スペースを広くとることができる。
【実施例】
【００１４】
以下に本発明の実施例を、図面１乃至２を参照しつつ説明する。本発明の実施例は、流し台（２）、該流し台（２）のシンク（３）に取り付けられた排水口（４）、該排水口（４）から接続部材（５）を介して下方奥向きに傾斜された排水管（６ａ）、該排水管（６ａ）に内蔵されているトラップ部（１）、およびこれらを接続するための管体部材などの各部材から構成される。流し台（２）は、底面に排水口（４）を備えたシンク（３）と、該シンク（３）の下方に配置された引き出し部（７ａ）を有するキャビネット部（７）、および該キャビネット部（７）の下方に設けられた、袴部（８）と呼ばれる床面上に設置された高さ１０センチ前後の立ち上がりの部分からなる。また該袴部（８）とキャビネット部（７）の間に、配管用の開口部を備えた、キャビネット部（７）の底板となる化粧板（９）が設けられている。排水管（６ａ）は排水口（４）から接続部材（５）を介して下方奥向きに傾斜され、該排水管（６ａ）の排水口（４）にトラップ機能を有するトラップ部（１）が水密的に且つ着脱自在に嵌合されている。排水は、排水管（６ａ）から接続部材（５）を介しキャビネットの背面壁部（１０）に沿って真下に配管させた排水配管によって、下水管へと流れる仕組みとなっている。
該トラップ部（１）は排水口（４）から排水管（６ａ）の内側へ着脱可能である。トラップ部（１）は排水口（４）側にＯリング（１１）が設けられ、Ｏリング（１１）との係合により排水管（６ａ）との嵌合位置が決まる。また、トラップ部（１）に係合部（２１）があり、排水管（６ａ）の係合部（２１）の対応する位置にくぼみを設けて被係合部（２２）としている。トラップ部（１）は円筒の軸方向視Ｙ字型に略均等に３分割され、流入口から第一の流路の下端（１３）側と連通し、第二の流路（１４）に入って排水が上昇し、その上端側（１５）と連通し、第三の流路（１６）に入って下水方向へ排水される。また該トラップ部（１）は排水口（４）側に第二の流路（１４）と第三の流路（１６）の天面を形成するパッキン（１７）が取り付けられている。この基本構造により、キャビネット部（７）内の空間占有率を大きく占めていた、管体を略Ｓ字形状に形成した排水トラップ（１８）を使用する必要がない。また該トラップ部（１）は着脱可能であるため、トラップ部（１）を排水管（６ａ）から取り外すことで、シンク（３）に取り付けられている排水口（４）に直接清掃道具を挿入でき、キャビネット部（７）内の収納物や引き出しを取り外すことなく簡単にトラップ部（１）より下流側の配管内部を清掃することができる。またトラップ部（１）に取り付けられているパッキン（１７）も取り外すことができ、トラップ部（１）を直接清掃することができる。
【００１５】
本発明の実施例は上記のようであるが、本発明は上記実施例に限定されるものではなく、発明の要旨を変更しない範囲で自在に変更可能である。例えば、上記実施例ではトラップ部（１）を施工する排水機器を流し台（２）としているが、洗面台などキャビネット部（７）を備えた排水機器、特にキャビネット部（７）内に引き出し部（７ａ）を備えた排水機器であれば、どのような排水機器にも配管構造を適用することができる。また、上記実施例ではトラップ部（１）を円筒の軸方向視Ｙ字型に略均等に３分割した構造としているが、図３に示したように、円筒の断面が略Ｓ字形状となっている、トラップの構造を持つものでもよい。また、トラップ部（１）の外形形状も排水管（６）の形状に応じて、排水管（６）の内面に水密に嵌合し、且つ着脱可能であれば円筒でなくてもよい。また、図４に示したように、ワン型トラップと呼ばれる、トラップ内の、下水に通じる排水口にトラップ内の排水を仕切るようにワン部（２０）を逆向きにかぶせることで、排水が一度封水部（１９）に入り、逆オワン型形状のトラップ部（１）を排水が上昇し下水されるトラップ構造としてもよい。また、上記実施例では、排水配管を槽体の排水口（４）から下方奥向きに傾斜させた後、キャビネットの背面壁部（１０）に沿って真下方向に屈曲させて床下配管に接続していたが、図５に示したように、排水配管を、槽体の排水口（４）から真下方向に配管させ、床下配管に接続される配管でもよい。
【図面の簡単な説明】
【００１６】
【図１】実施例の一部を切欠した側面図である。
【図２】トラップ部の軸方向視図である。
【図３】図２の、Ａ−Ａ’断面図である。
【図４】円筒の断面が略Ｓ字形状となっている、トラップ構造の実施例である。
【図５】トラップ部を、ワン型トラップとしたものの断面図である。
【図６】直下型の排水配管の実施例である。
【図７】従来例の略Ｓ字形状トラップを用いた排水配管である。
【図８】従来例のワン型トラップを用いた排水配管である。
【符号の説明】
【００１７】
１    トラップ
２    流し台
３    シンク
４    排水口
５    接続部材
６    排水管
６ａ  下方奥向きに傾斜された排水管
７    キャビネット部
７ａ  引き出し部
８    袴部
９    化粧板
１０  キャビネットの背面壁部
１１  Ｏリング
１２  第一の流路
１３  第一の流路の下端
１４  第二の流路
１５  第二の流路の上端
１６  第三の流路
１７  パッキン
１８  従来の排水トラップ
１９  封水部
２０  ワン部
２１  係合部
２２  被係合部
【図１】
2006037403.tif 000003
【図２】
2006037403.tif 000004
【図３】
2006037403.tif 000005
【図４】
2006037403.tif 000006
【図５】
2006037403.tif 000007
【図６】
2006037403.tif 000008
【図７】
2006037403.tif 000009
【図８】
2006037403.tif 000010